(57)【特許請求の範囲】
【請求項１】
表示装置を備えた少なくとも１つの講師用システムと、前記講師用システムと伝送路によって接続された少なくとも１つの受講用システムとを有し、前記講師用システムから送られる情報を受講用システムの表示装置に表示するように構成されてなる遠隔教育システムであって、
前記講師用システムには、資料情報を格納する資料格納部及び資料情報を検索する検索部を有した講師用処理装置が設けられており、
前記講師用処理装置には、資料情報を前記検索部に検索させるために講師が授業中に行った操作の手順を示すログデータである検索情報を格納する検索情報格納部が設けられ、前記検索情報格納部に格納されている前記検索情報を前記受講用システムに伝送してその表示装置に表示するように構成されている、
ことを特徴とする遠隔教育システム。
【請求項２】
講師用表示装置を備えた少なくとも１つの講師用システムと、受講用表示装置を備え前記講師用システムと伝送路によって接続された少なくとも１つの受講用システムとを有し、前記講師用システムから送られる情報を前記受講用システムの表示装置に表示するように構成されてなる遠隔教育システムであって、
前記講師用システムには、資料情報を格納する資料格納部、資料情報を検索する第一の検索部、及び検索された資料情報を表示する講師用資料表示部を有した講師用処理装置と、前記講師用処理装置から出力される情報を前記講師用表示装置に表示するための画像編集装置とが設けられ、
前記受講用システムには、資料情報を検索する第二の検索部及び検索された資料情報を表示する受講用資料表示部を有した受講用処理装置が設けられており、
前記講師用処理装置には、資料情報を前記第一の検索部に検索させるために講師が授業中に行った操作の手順を示すログデータである検索情報を格納する検索情報格納部が設けられ、前記検索情報格納部に格納されている前記検索情報を前記受講用システムに伝送して前記受講用表示装置又は前記受講用資料表示部に表示するように構成されている、
ことを特徴とする遠隔教育システム。
【請求項３】
前記講師用処理装置は、講師が所定の操作を行ったときに前記検索情報を初期化する、
請求項２記載の遠隔教育システム。
【請求項４】
前記検索情報格納部に格納されている前記検索情報が、前記講師用表示装置にウインドウ表示され、当該講師用表示装置に表示された画面と同じ画面が前記受講用表示装置に表示されるように構成されている請求項２記載の遠隔教育システム。
【請求項５】
講師用システムから送られる情報を受講用システムの表示装置に表示するように構成される遠隔教育システムの講師用システムに用いられる遠隔教育用処理装置であって、
資料情報を格納する資料格納部、処理部、及び表示部が設けられており、
前記処理部には、資料情報を検索する検索部と、資料情報を前記検索部に検索させるために講師が授業中に行った操作の手順を示すログデータを得て格納する検索情報格納部と、前記ログデータを前記受講用システムの表示装置に表示するために出力する出力部とが設けられている、
ことを特徴とする遠隔教育用処理装置。
【発明の詳細な説明】
【０００１】
【発明の属する技術分野】
本発明は、講師とは離れた場所にいる受講者に対して、授業、講演、講話、解説などを行うための遠隔教育システムに関する。
【０００２】
企業内教育、予備校、各種講演会などにおいて、１人の講師によって遠隔地に分散した多数の受講者に対する授業を行うために、遠隔教育システムがしばしば利用されている。遠隔教育システムは、特定の講師の授業を受けるためにわざわざ一箇所に集まる必要がなく、時間と費用の大幅な節減になるという大きな利点がある反面、講師と直接に対面できないために講師の意図が正確且つ迅速に伝わり難いという不利な点がある。マルチメディアが急速に普及している現在において、不利な点をできるだけ抑えて遠隔教育システムを有効に活用していくことが望まれている。
【０００３】
【従来の技術】
従来の一般的な遠隔教育システムは、複数のテレビカメラ、資料情報検索装置、及び講師用表示装置などを備えた講師用システムと、受講用表示装置などを備えた１つ又は複数の受講用システムとが、伝送路によって接続されて構成されている。講師用表示装置と受講用表示装置とは、原則的に互いに同一の映像を表示する。
【０００４】
テレビカメラによって講師の姿や黒板が受講用表示装置の画面に映し出され、受講者は講師の顔や黒板を画面で見ながら且つスピーカから声を聞きながら授業を受ける。また、講師は、資料情報検索装置を操作し、授業に必要な資料を適宜検索してそれを資料情報検索装置の画面に表示し、自らの資料映像として用いる。受講者は、講師の説明にしたがって各自が用意した資料又は教材の該当頁を開け、それを参照しながら受講する。この場合において、講師用の資料映像と受講用の資料映像とが一致せず、講師の説明が受講者に正確に伝わらないことがあった。さらに、講師が最新の資料映像を追加して用いた場合には、講師側と受講側との内容の乖離が一層広がることとなっていた。
【０００５】
なお、受講用表示装置の画面にも講師の検索した資料映像の全体又は一部を表示させることは可能であるが、受講者は受講用表示装置によっては細かい内容をゆっくりと見ることはできない。
【０００６】
そこで、受講用システムにも講師用システムと同様な資料情報検索装置を備えることにより、受講者が受講用表示装置の画面に表示された資料映像を参考にして受講用の資料情報検索装置を操作し、講師と同じ資料映像を検索して画面に表示させることが提案されている。
【０００７】
【発明が解決しようとする課題】
しかし、従来においては、受講者が資料情報検索装置を操作して資料を検索するに当たって、資料のタイトル及び内容、検索に必要な検索アドレス又は検索操作手順などの検索情報を、講師が口頭で説明することとなっている。したがって、受講者は、スピーカから流れる検索情報を聞きながら、又はそれのメモを見ながら、資料情報検索装置を操作し、資料を検索する。
【０００８】
ところが、口頭説明によるため、講師の説明が間違っていたり内容が正確でない場合があり、操作手順が受講者に正確に伝わらず、受講者が正確な検索を行うことができないという問題がある。
【０００９】
なお、資料の検索方法などを受講者の教材上に併記することが考えられるが、その場合には受講者がその記述を探さなくてはならず、その記述が見つからなかったりそれに時間を要して講師の説明を聞き損ねたりし、必要な検索情報がタイムリーに得られないという問題がある。
【００１０】
本発明は、上述の問題に鑑みてなされたもので、講師の用いる資料と同じ資料を検索するための検索情報を正確に且つタイムリーに得ることのできる遠隔教育システムを提供することを目的とする。
【００１１】
【課題を解決するための手段】
請求項１の発明に係る遠隔教育システムは、表示装置を備えた少なくとも１つの講師用システムと、前記講師用システムと伝送路によって接続された少なくとも１つの受講用システムとを有し、前記講師用システムから送られる情報を受講用システムの表示装置に表示するように構成されてなる遠隔教育システムであって、前記講師用システムには、資料情報を格納する資料格納部及び資料情報を検索する検索部を有した講師用処理装置が設けられており、前記講師用処理装置には、資料情報を前記検索部に検索させるために講師が授業中に行った操作の手順を示すログデータである検索情報を格納する検索情報格納部が設けられ、前記検索情報格納部に格納されている前記検索情報を前記受講用システムに伝送してその表示装置に表示するように構成されている。
【００１２】
請求項２の発明に係る遠隔教育システムは、講師用表示装置を備えた少なくとも１つの講師用システムと、受講用表示装置を備え前記講師用システムと伝送路によって接続された少なくとも１つの受講用システムとを有し、前記講師用システムから送られる情報を前記受講用システムの表示装置に表示するように構成されてなる遠隔教育システムであって、前記講師用システムには、資料情報を格納する資料格納部、資料情報を検索する第一の検索部、及び検索された資料情報を表示する講師用資料表示部を有した講師用処理装置と、前記講師用処理装置から出力される情報を前記講師用表示装置に表示するための画像編集装置とが設けられ、前記受講用システムには、資料情報を検索する第二の検索部及び検索された資料情報を表示する受講用資料表示部を有した受講用処理装置が設けられており、前記講師用処理装置には、資料情報を前記第一の検索部に検索させるために講師が授業中に行った操作の手順を示すログデータである検索情報を格納する検索情報格納部が設けられ、前記検索情報格納部に格納されている前記検索情報を前記受講用システムに伝送して前記受講用表示装置又は前記受講用資料表示部に表示するように構成されている。
【００１３】
請求項３の発明に係る遠隔教育システムは、前記講師用処理装置が、講師が所定の操作を行ったときに前記検索情報を初期化する、ように構成されている。
【００１４】
請求項４の発明に係る遠隔教育システムは、前記検索情報格納部に格納されている前記検索情報が、前記講師用表示装置にウインドウ表示され、当該講師用表示装置に表示された画面と同じ画面が前記受講用表示装置に表示されるように構成されている。
請求項５の発明に係る遠隔教育用処理装置は、講師用システムから送られる情報を受講用システムの表示装置に表示するように構成される遠隔教育システムの講師用システムに用いられる遠隔教育用処理装置であって、資料情報を格納する資料格納部、処理部、及び表示部が設けられており、前記処理部には、資料情報を検索する検索部と、資料情報を前記検索部に検索させるために講師が授業中に行った操作の手順を示すログデータを得て格納する検索情報格納部と、前記ログデータを前記受講用システムの表示装置に表示するために出力する出力部とが設けられている。
【００１５】
例えば遠隔教育システム１による授業において、講師が教材として用いる資料を資料格納部の中から検索するには、まず、操作開始キーを押下する。これによって、検索情報格納部の内容が初期化される。その後、講師がキーボード又はマウスなどを操作する度毎に、操作内容であるログデータが生成され、検索情報格納部に格納される。
【００１６】
検索情報格納部に格納された内容は、講師用表示装置、受講用表示装置、受講用資料表示部などに表示される。受講者は、それを見て検索のための操作を行うことによって、講師と同じ資料を得ることができる。
【００１７】
【発明の実施の形態】
図１は本発明に係る遠隔教育システム１のブロック図、図２は受講用表示装置２３の画面に表示される映像ＦＡ，ＦＢの例を示す図である。
【００１８】
図１において、遠隔教育システム１は、互いに伝送路７で接続された講師用システム３及び複数の受講用システム５からなる。講師用システム３は、テレビカメラ１１ａ，１１ｂ、画像編集装置１２、講師用表示装置１３、講師用処理装置１４、及びインタフェース１５などからなる。受講用システム５は、受講用表示装置２３、受講用処理装置２４、及びインタフェース２５などからなる。
【００１９】
テレビカメラ１１ａ，１１ｂは、講師の顔又は姿、机上の資料、又は黒板などを撮影して映像信号Ｓ１，Ｓ２を出力する。画像編集装置１２は、テレビカメラ１１ａ，１１ｂからの映像信号Ｓ１，Ｓ２、講師用処理装置１４からの映像信号Ｓ３に対して、映像の合成や切り替えを行って編集し、編集された映像信号Ｓ４を出力する公知のものである。これらの映像信号Ｓ１〜４は、例えば、ＮＴＳＣ方式のテレビジョン信号、ＲＧＢ信号などである。講師用表示装置１３は、講師の正面前方に配置され、画像編集装置１２から出力される映像信号を画面に表示する。なお、映像信号には音声信号も含まれる。
【００２０】
講師用処理装置１４は、処理部３１、資料情報を格納する資料格納部３２、表示部３３、キーボード３４、マウス３５などを有する。処理部３１には、資料情報を検索する検索部３１１、及び、検索部３１１の操作によって検索された資料情報についての検索情報を格納するログバッファ３１２が設けられている。資料格納部３２は、例えば磁気ディスク装置、光磁気ディスク装置、ＣＤ−ＲＯＭ、ＣＤ−Ｖ、ＣＤ−Ｉなどからなり、そこに格納される資料情報は、常時格納されるもの、講師が持参してセットすることによって一時的に格納されるものなどがある。キーボード３４からの指示によって、ログバッファ３１２の内容は、処理部３１の外部に出力される。つまり、処理部３１は請求項５の発明における出力部にも相当する。出力されたログバッファ３１２の内容は、表示部３３に表示され、画像編集装置１２を経由して講師用表示装置１３にウインドウ表示され、さらにインタフェース１５を経由して受講用表示装置２３にウインドウ表示され（図２参照）、また、信号Ｓ５となって処理部５１に入力されて表示部５３に表示される。
【００２１】
インタフェース１５は、画像編集装置１２からの映像信号Ｓ４及び処理部３１からの信号Ｓ５を、それぞれ別個に又は合成して伝送路７に送出する。伝送路７は、例えば、同軸ケーブル又は光ファイバーケーブルなどの公衆回線又は専用回線である。信号Ｓ６はＮＴＳＣ方式のテレビジョン信号、その他の映像アナログ信号、又はデジタル信号などである。
【００２２】
受講用表示装置２３は、伝送路７から送られてきた映像信号Ｓ７に基づいて、講師用表示装置１３と同じ映像を画面に表示する。受講用表示装置２３は、比較的に大型の画面を有し、多数の受講者のいる受講室に１台又は複数台設置されている。受講用処理装置２４は、処理部５１、資料情報を格納する資料格納部５２、表示部５３、キーボード５４、マウス５５などを有する。処理部５１には、資料情報を検索する検索部５１１が設けられており、検索によって得られた資料情報は表示部５３に表示される。処理部５１に入力された信号Ｓ８に基づいて、ログバッファ３１２の内容が表示部５３に表示される。受講用処理装置２４は、数人に１台の割合で設置されている。インタフェース２５は、伝送路７から送られてきた信号Ｓ６に基づいて、映像信号Ｓ７と信号Ｓ８を分離して出力する。
【００２３】
講師用処理装置１４と受講用処理装置２４とは、基本的には同じ構成のものである。これらは、例えばワークステーション又はパーソナルコンピュータなどによって構成される。講師側をサーバとし受講側をクライアントとするクライアントサーバシステムとして構成することも可能であり、受講側から講師側へ、また受講側から他の受講側へ信号を送ることも可能である。
【００２４】
さて、処理部３１のログバッファ３１２に格納される検索情報として、検索アドレスＢＡＤとログデータＢＬＧとがある。検索アドレスＢＡＤは、検索部３１１によって検索された資料のタイトル、内容の要約、ファイル名、ディレクトリ名、データ番号、検索キーの値などであり、これらの全部又は一部が資料中の検索アドレスフィールド内に映像データとして付加されている。ログデータＢＬＧは、検索部３１１における検索のための操作の手順であり、例えば講師がキーボード３４又はマウス３５を操作して検索を行ったときに、その操作の内容及び処理の内容がログデータＢＬＧとして獲得される。ログバッファ３１２の内容は、キーボード３４に設けられた操作開始キー３４１を押下したときに初期化され、操作開始キー３４１を押下した後の操作内容がログデータＢＬＧとしてログバッファ３１２に格納される。
【００２５】
次に、遠隔教育システム１におけるガイダンス映像ＦＢを表示するための動作及び処理内容について、図３のフローチャートを参照して説明する。
図３は資料検索のためのガイダンス処理を示すフローチャートである。
【００２６】
遠隔教育システム１による授業において、教材として用いる資料を資料格納部３２の中から検索するには、まず、講師は操作開始キー３４１を押下する（＃１１）。これによって、ログバッファ３１２の内容がクリアされる（＃１２）。その後、講師がキーボード３４又はマウス３５を操作する度毎に、操作内容及び処理内容であるログデータＢＬＧが生成され、ログバッファ３１２に格納される（＃１３，１４）。
【００２７】
ガイダンス表示モードである場合には（＃１５でイエス）、講師用表示装置１３及び受講用表示装置２３の画面に、ガイダンス映像ＦＢがウインドウ表示される。ガイダンス非表示モードでは（＃１５でノー）、ガイダンス映像ＦＢは表示されず、通常の講師の映像又は資料映像などの主映像ＦＡが画面の全体に表示される（＃１７）。なお、キーボード３４に設けられたモード設定キー３４２の押下を繰り返す毎に、ガイダンス表示モードとガイダンス非表示モードとが交互に設定される。
【００２８】
図２（Ｂ）に示すガイダンス映像ＦＢは、資料格納部３２の中から大阪府の地図を検索した場合の例を示している。この例によると、最初に「ＰＦキー」が押下され、これによって表示部３３の画面に地図メニューが表示され、その画面上で「Ｎｏ．２ボタン」を選択し、画面上の入力フィールドに「大阪」を入力し、「実行」キーを押下したことが理解される。この操作によって、表示部３３には実際に大阪府の地図が表示されることとなる。講師は、自分の操作内容が正しいか否かを、表示部３３の画面に表示された内容によって容易に知ることができる。つまり、表示部３３の画面に講師自身の望む映像が表示されている限りにおいて、検索のための操作は正しかったのであり、ログバッファ３１２の内容をチェックしたりして検索のための操作が正しかったか否かを詮索する必要はない。
【００２９】
ガイダンス映像ＦＢは、映像信号Ｓ３が表示されるように画像編集装置１２が切り換えられており且つガイダンス表示モードとなっている場合に、講師用表示装置１３及び受講用表示装置２３に表示される。また、受講用システム５の処理部５１において、ガイダンス映像ＦＢを表示部５３に表示するように設定しておくことによって、表示部３３と同じ内容のガイダンス映像ＦＢが表示部５３に表示される。ガイダンス映像ＦＢの内容は、講師の操作の進行状況に応じて表示される。したがって、受講者は、ガイダンス映像ＦＢを見て、キーボード５４又はマウス５５などを操作し、講師と同じ資料を容易に且つ迅速に検索することができる。受講者は、検索した資料を、自由に表示部５３に表示させ、検討することができる。
【００３０】
上述の形態の遠隔教育システム１では、講師用システム３の資料格納部３２と受講用システム５の資料格納部５２とに同じ内容の資料情報が格納されている例を説明したが、それらが互いに異なる場合には、検索部３１１において検索して得られた資料を処理部３１の図示しないメモリ又は資料格納部３２に保存しておき、保存した資料を伝送路７を経由して処理部５１の図示しないメモリ又は資料格納部５２に転送するようにしてもよい。ガイダンス映像ＦＢの表示位置は上の例と異ならせてもよい。その他、遠隔教育システム１の全体又は各部の構成、操作内容、処理内容、処理順序などは、本発明の主旨に沿って適宜変更することができる。
【００３１】
【発明の効果】
請求項１乃至請求項５の発明によると、講師の用いる資料と同じ資料を検索するための検索情報を正確に且つタイムリーに得ることができる。したがって、受講者は、その検索情報に基づいて資料の検索を行うことにより、容易に且つ迅速に講師と同一の資料を得ることができる。これによって、教育効果の向上を図ることができる。
【００３２】
また、受講者はログデータに沿ってそのままの操作を行うことによって資料を検索することができ、受講者の操作が極めて容易となる。
【図面の簡単な説明】
【図１】本発明に係る遠隔教育システムのブロック図である。
【図２】受講用表示装置の画面に表示される映像の例を示す図である。
【図３】  資料検索のためのガイダンス処理を示すフローチャートである。
【符号の説明】
１  遠隔教育システム
３  講師用システム
５  受講用システム
７  伝送路
１２  画像編集装置
１３  講師用表示装置
１４  講師用処理装置（遠隔教育用処理装置）
２３  受講用表示装置
２４  受講用処理装置
３２  資料格納部
３３  表示部（講師用資料表示部）
５３  表示部（受講用資料表示部）
３１１  検索部
３１２  ログバッファ（検索情報格納部）
３４１  操作開始キー
５１１  検索部
【図１】
0003703190.tif 000002
【図２】
0003703190.tif 000003
【図３】
0003703190.tif 000004